(57)【要約】【課題】表示パネルに発生するグレアを低減し、輝度及び輝度均一度を向上するフロントライトモジュールを提供する。【解決手段】フロントライトモジュール1は、パネル2に接して配置し、光源10をパネル2外側の導光板20側縁に配置して光を入射する。導光板20は、複数の凹凸からなる微細構造21を備えて入射した光をパネル2に向けて反射及び屈折し、さらに該導光板20の微細構造21を形成した面に透明な仲介層30を設けて、導光板20の微細構造21の凹部内に充填して配置することにより、導光板20によるパネル2に向けた反射、屈折光の輝度を均一化する。【選択図】図１
0003179325.tif 000002
【実用新案登録請求の範囲】
【請求項１】
表示域を備えるパネルの前方に設置するフロントライトモジュールであって、
該フロントライトモジュールは、光源、導光板、透明な仲介層からなり、
該導光板は、上記パネルに相対してその外側に設置すると共に上記光源が発する光を入射させ、
該導光板には上記パネルに平行な少なくとも一方の側辺に複数の微細構造を形成して光源より入射した光を該パネルに向けて反射及び屈折させ、
上記仲介層は、該各微細構造の凹部内に充填してなることを特徴とするフロントライトモジュール。
【請求項２】
前記光源は、該導光板の側辺に位置することを特徴とする請求項１に記載のフロントライトモジュール。
【請求項３】
前記導光板は、該パネルに近い一方の側辺に、複数の微細構造を備えることを特徴とする請求項１に記載のフロントライトモジュール。
【請求項４】
前記仲介層の一方の側は、該導光板に接着し、
該仲介層の反対側は、該パネルに接着することを特徴とする請求項３に記載のフロントライトモジュール。
【請求項５】
前記導光板は、該パネルから離れた他方の側辺に、複数の微細構造を備えることを特徴とする請求項３に記載のフロントライトモジュール。
【請求項６】
前記導光板の一方の側は、該仲介層に密着し、該導光板の反対側は、該パネルに接着することを特徴とする請求項５に記載のフロントライトモジュール。
【請求項７】
前記仲介層は、該導光板の表示域の微細構造内に充填することを特徴とする請求項１に記載のフロントライトモジュール。
【請求項８】
前記各微細構造は、その凹部内に反射空間を備え、
該仲介層は、該反射空間の一部に充填することを特徴とする請求項１に記載のフロントライトモジュール。
【請求項９】
前記各微細構造は、その凹部内に反射空間を備え、
該仲介層は、該反射空間に充填することを特徴とする請求項１に記載のフロントライトモジュール。
【請求項１０】
前記仲介層は、液体であることを特徴とする請求項１に記載のフロントライトモジュール。
【請求項１１】
前記仲介層は、水或いはコロイド体により構成することを特徴とする請求項１０に記載のフロントライトモジュール。
【請求項１２】
前記仲介層は、コロイド状であることを特徴とする請求項１に記載のフロントライトモジュール。
【請求項１３】
前記仲介層は、コロイド体により構成することを特徴とする請求項１２に記載のフロントライトモジュール。
【請求項１４】
前記仲介層は、コロイド体が固化して形成することを特徴とする請求項１に記載のフロントライトモジュール。
【請求項１５】
前記仲介層は、透明であることを特徴とする請求項１に記載のフロントライトモジュール。
【考案の詳細な説明】
【技術分野】
【０００１】
本考案は光源モジュールに関し、特にフロントライト式の光源モジュールに関する。
【背景技術】
【０００２】
一般的に、輝度が充分で、しかも輝度分布が均一な光源を提供するため、ほとんどの表示パネルには、光源モジュールを設置する必要がある。
これにより、均一で、輝度が高く、広視角の表示効果を達成することができる。
【０００３】
光源モジュールの設置位置から分類すると、ガラスディスプレイに設置する光源モジュールを、フロントライトモジュール(Front Light Module)と呼ぶ。
フロントライトモジュールは、導光構造により、点或いは線光源を、輝度が均一な面光源に変換する部品である。
日中、或いは環境照明が充分な環境下では、フロントライトモジュールは、外部光源により均一な輝度を提供することができる。
一方、外部光源が不足している時には、フロントライトモジュールは即時に光源をオンにし、パネルに正常に映像を表示させることができる。
そのため、フロントライトモジュールを採用する表示パネルは、節電性能を大幅に高めることができ、ＰＤＡ、スマートフォン、電子ブックリーダー等のポータブルＩＴ設備への応用に適している。
【０００４】
しかし、従来のフロントライトモジュールは、使用において、しばしばグレアの現象が発生し、或いは輝度不足、或いは不均一の状況が発生する。
【０００５】
また、フロントライトモジュールの導光板上には、多数の微細構造が成型され、該微細構造により、光源の分布、輝度が均一な面光源が形成される。
しかし、使用時には、使用者は、微細構造ニックの存在をかすかに感じ、使用時の快適性を低下させてしまう。
本考案は、従来のフロントライトモジュールの上記した欠点に鑑みてなされたものである。
【先行技術文献】
【特許文献】
【０００６】
【特許文献１】特開２０００−１９３９７２号公報
【特許文献２】特開平１１−２０２７９９号公報
【考案の概要】
【考案が解決しようとする課題】
【０００７】
本考案が解決しようとする第一の課題は、パネル使用時に発生するグレアを減らし、輝度及びその均一度を高めることができるフロントライトモジュールを提供することである。
本考案が解決しようとする第二の課題は、導光板は仲介層と平行な側辺に複数の微細構造を設置し、本考案フロントライトモジュールの設置により、かすかに見える微細構造ニックの状況の発生を回避し、使用上の快適性を高めることができるフロントライトモジュールを提供することである。
【課題を解決するための手段】
【０００８】
上記課題を解決するため、本考案は下記のフロントライトモジュールを提供する。
フロントライトモジュールは、パネルの前方に設置し、
該パネルは、表示域を備え、
フロントライトモジュールは、光源、導光板、仲介層を備え、
該導光板は、該パネルの外側に設置し、該導光板は、光源が発する光を入射して、該パネルに向けて反射及び屈折し、該導光板は、該パネルと平行な少なくとも一方の側辺に、複数の凹凸からなる微細構造を備え、
該仲介層は、微細構造内に充填する。
【考案の効果】
【０００９】
本考案フロントライトモジュールは、透明な仲介層を導光板の凹凸からなる微細構造内に充填し、仲介層は水、コロイド体、或いはシリコン等物質により構成するため、光線が仲介層を通過する時には、より良い屈折及び導光効果を備えることができ、これにより光線は均一に、かつ全面的に、パネルへと反射及び屈折し、こうしてパネルに充分な輝度を提供し、これにより光の均一度及び輝度を高めて、本考案の実用性を拡大することができる。
【図面の簡単な説明】
【００１０】
【図１】本考案フロントライトモジュール第一実施例の組合せ断面図である。
【図２】本考案フロントライトモジュール第二実施例の組合せ断面図である。
【図３】本考案フロントライトモジュール第三実施例の組合せ断面図である。
【考案を実施するための形態】
【００１１】
以下に図面を参照しながら本考案を実施するための最良の形態について詳細に説明する。
【実施例】
【００１２】
図１は、本考案フロントライトモジュールの組合せ断面図である。
【００１３】
本考案フロントライトモジュール1は、パネル2の前方に設置する。
【００１４】
該パネル2は、表示域3を備える。
【００１５】
該フロントライトモジュール1は、光源10、導光板20、仲介層30からなる。
【００１６】
該光源10は、該導光板20と及び該仲介層30の側辺に位置する。
【００１７】
該光源10は、発光ダイオード(Light Emitting Diode, LED )、或いはレーザーダイオード(Laser Diode, LD)などの光学ダイオードで、実際の実施時には、これに限定するものではなく、該光源10は、冷陰極管等の他の光源とすることもできる。
【００１８】
該導光板20は、高い反射率を備え、しかも吸光しない材料により構成し、該導光板20は、該パネル2の外側に設置する。
【００１９】
該導光板20は、該光源10が発する光を受け取り、該パネル2上へと反射、及び屈折し、しかも該導光板20は、該パネル2に平行な少なくとも一方の側辺201において、複数の微細構造21を備える。
【００２０】
該仲介層30は、液体或いはコロイド状物質からなり、或いはコロイド体を固化して形成され、該仲介層30は透明であって、これにより使用者は、該パネル2が表示する映像或いは文字をクリアに見ることができる。
【００２１】
該仲介層30は、水、コロイド体、或いはシリコン樹脂等の物質により構成し、該仲介層30の設置により、光線が該仲介層30を通過する時には、より良い屈折及び導光効果を備えることができ、これにより、該フロントライトモジュール1の光の均一度及び輝度を高めることができる。
【００２２】
好ましくは、該仲介層30は、該導光板20の表示域3の微細構造21内に充填し、図１中では、該仲介層30の片側は、該導光板20に直接貼付して接触し、該仲介層30の反対側は、該パネル2に接着する。
【００２３】
本考案の一実施例中では、該導光板20は、該パネル2に平行な側辺に、複数の微細構造21を設置し、実際の実施時には、該各微細構造21の形態には制限がなく、多数の凹溝、V形溝、或いは歯形溝等とすることができる。
【００２４】
該仲介層30は、該各微細構造21内に充填し、具体的には、該各微細構造21は、反射空間210を備え、該仲介層30は、該反射空間210中の一部にのみ充填される。
【００２５】
本実施例中では、該導光板20は、該パネル2に近い一方の側辺201に、複数の微細構造21を備えるが、実際の実施時には、これに限定せず、該各微細構造21は、該導光板20の、該パネル2から離れた他方の側辺に設置することもでき、或いは該導光板20は、該パネル2と平行の相対する両方の側辺に共に微細構造21を設置する。
【００２６】
外部の光線が充分である時には、外部光線は、該導光板20を透過し、該パネル2上に入射し、該光源10をオンにしない状況下でも、該パネル2に充分な輝度を提供することができる。
【００２７】
図２は、本考案フロントライトモジュールの第二実施例である。
【００２８】
本実施例は第一実施例とおおよそ基本構造を共通し、フロントライトモジュール1aは、光源10a、導光板20a、仲介層30aからなり、該導光板20aは複数の微細構造21 aを備える。
【００２９】
該光源10aは、該導光板20a及び該仲介層30aの側辺に位置し、該仲介層30aは、該各微細構造21a内に充填される。
【００３０】
本実施例と上記した第一実施例との相違点は、該導光板20aの微細構造21aは、該導光板20aのパネル2aから離れた他方の側辺201aに設置し、また該導光板20aの片側は、該仲介層30aに接着し、該導光板20aの反対側は、該パネル2 aに接着する点である。
【００３１】
図３は、本考案フロントライトモジュールの第三実施例である。
【００３２】
本実施例中では、フロントライトモジュール1bは、光源10b、導光板20b、仲介層30bからなる。
【００３３】
本実施例と第一実施例との相違点は、該導光板20bは、パネル2bと平行な相対する両方の側辺201b、202bに、それぞれ複数の微細構造21b(一つは該パネル2aの一方の側辺201bに直接接着し、もう一つは該パネル2bから離れたもう一方の側辺202bに接着する)を設置する点である。
【００３４】
該側辺201bの別の異なる点は、該仲介層30bは、該各微細構造21bの反射空間210b中に充填することである。
【００３５】
本考案フロントライトモジュール１、1ａ、1ｂは、ポータブルＩＴ設備(図示なし)内に結合し、これにより該フロントライトモジュール１、1ａ、1ｂは、ポータブルＩＴ設備の光源モジュールとすることができる。
【００３６】
こうして、該ポータブルＩＴ設備使用時のグレア現象を減らすことができ、使用時の輝度と均一度を高めることができる。  
【００３７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３９】
１、1ａ、1ｂ  フロントライトモジュール
２、2ａ、2ｂ  パネル
３  表示域
１０、１０a、１０b  光源
２０、２０a、２０b  導光板
２０１、２０１a、２０１b、２０２b  側辺
２１、２１a、２１b  微細構造
２１０、２１０b  反射空間
３０、３０a、３０ｂ  仲介層
【図１】
0003179325.tif 000003
【図２】
0003179325.tif 000004
【図３】
0003179325.tif 000005